(57)【要約】【課題】穿刺操作等を妨げず、簡単な操作で採血後の針管の先端開口を封止することができる穿刺具を提供すること。【解決手段】穿刺具は、先端部に鋭利な針先２１を有する針管２と、針管２の基端部に固定されたハブと、ハブに対して回動可能に設置されたプロテクタ４とを有する。プロテクタ４は、針管２の針先２１を覆う第１の位置と、針管２から離間する第２の位置とに回動する。プロテクタ４は、プロテクタ本体４３と、該プロテクタ本体４３の先端部にプロテクタ本体４３の長手方向に移動可能に設けられ収納部４４とを有し、収納部４４内には、封止部材７が収納されている。収納部４４を押圧して基端方向へ移動すると、針管２の針先２１が封止部材７に穿刺され、針管２の先端開口２２が封止部材７により気密的に封止される。【選択図】図４
2007296376.tif 000002
【特許請求の範囲】
【請求項１】
動脈血採血器具の先端部に装着して使用される穿刺具であって、
先端に針先を有する針管と、前記針管の基端に設置されたハブと、前記針管の少なくとも針先を覆う第１の位置と、前記針管から離間する第２の位置とに変位可能なプロテクタとを有し、
前記プロテクタは、長手形状のプロテクタ本体と、前記プロテクタ本体の先端部に前記プロテクタ本体の長手方向に沿って相対的に移動可能に設置され、前記プロテクタ本体とは別体の部材で構成された収納部と、前記収納部内に収納され、前記針管の先端開口を封止することができる封止部材とを備え、
前記プロテクタを前記第１の位置とし、前記収納部を前記プロテクタ本体の基端方向へ移動させると、前記針管の針先が前記封止部材に穿刺され、前記針管の先端開口が前記封止部材により気密的に封止されるように構成されていることを特徴とする穿刺具。
【請求項２】
前記収納部の前記プロテクタ本体からの離脱を阻止する離脱阻止手段を有する請求項１に記載の穿刺具。
【請求項３】
前記離脱阻止手段は、前記プロテクタ本体に形成された凸部と、前記収納部に形成され、前記爪と係合し得る凹部とで構成されている請求項２に記載の穿刺具。
【請求項４】
前記凸部および前記凹部は、それらが係合した状態で前記収納部を前記プロテクタ本体の基端方向へ移動させると、当該移動に伴って前記凸部および前記凹部の係合が自動的に解除されるよう構成されている請求項３に記載の穿刺具。
【請求項５】
前記凸部および前記凹部は、それぞれ傾斜面を有し、当該傾斜面同士が摺動して前記凸部および前記凹部の係合が解除される請求項３または４に記載の穿刺具。
【発明の詳細な説明】
【技術分野】
【０００１】
本発明は、動脈血を採血するための動脈血採血器具に装着して使用される穿刺具に関する。
【背景技術】
【０００２】
血中のガス分圧、ｐＨなどを分析、測定するために、動脈血を採血することが行なわれている。これに用いられる動脈血採血器具は、静脈血の採血と異なり、動脈内の血圧により血液が採血器具内に導入されるように構成されている。
【０００３】
この場合、採血器具のシリンジ内に血液が血圧により導入されるに伴い、シリンジ内の空気が外部に排出される必要があるため、シリンジの内外は、フィルター部材を介して通気可能となっている。
【０００４】
このような動脈血採血器具を用いて、動脈血を採血する場合、その先端部に注射針を装着して使用する。この注射針は、先端に鋭利な針先を有する針管と、針管の基端に固着されたハブとで構成されている。
【０００５】
ところで、採血された血液に大気中の酸素や二酸化炭素が混入すると、血中のガス分圧、ｐＨなどを正確に分析、測定ができなくなる。このため、従来、採血後は、封止部材を収納した筒状のキャップを、速やかに針管に被せて、針先を封止部材に突き刺すことにより、針管の先端開口を封止して血液と大気との接触を防止することが行なわれている。
【０００６】
しかしながら、このような針管にキャップを被せる作業は、キャップの一端部の開口内に針管をその先端から挿入して行われるため、その作業に際して、針先等に付着、残留している血液が作業者の手に着いたり、針先で作業者の手を刺したりしないようにするために、細心の注意を払わねばならず、この操作に多大な手間を要するという問題がある。
【発明の開示】
【発明が解決しようとする課題】
【０００７】
本発明の目的は、構成が簡単であり、簡単な操作で採血後の針管をプロテクタ内に収納することができるとともに、針管の先端開口を封止することができる穿刺具を提供することにある。
【課題を解決するための手段】
【０００８】
このような目的は、下記（１）〜（１２）の本発明により達成される。
（１）  動脈血採血器具の先端部に装着して使用される穿刺具であって、
先端に針先を有する針管と、前記針管の基端に設置されたハブと、前記針管の少なくとも針先を覆う第１の位置と、前記針管から離間する第２の位置とに変位可能なプロテクタとを有し、
前記プロテクタは、長手形状のプロテクタ本体と、前記プロテクタ本体の先端部に前記プロテクタ本体の長手方向に沿って相対的に移動可能に設置され、前記プロテクタ本体とは別体の部材で構成された収納部と、前記収納部内に収納され、前記針管の先端開口を封止することができる封止部材とを備え、
前記プロテクタを前記第１の位置とし、前記収納部を前記プロテクタ本体の基端方向へ移動させると、前記針管の針先が前記封止部材に穿刺され、前記針管の先端開口が前記封止部材により気密的に封止されるように構成されていることを特徴とする穿刺具。
【０００９】
（２）  前記収納部の前記プロテクタ本体からの離脱を阻止する離脱阻止手段を有する上記（１）に記載の穿刺具。
【００１０】
（３）  前記離脱阻止手段は、前記プロテクタ本体に形成された凸部と、前記収納部に形成され、前記爪と係合し得る凹部とで構成されている上記（２）に記載の穿刺具。
【００１１】
（４）  前記凸部および前記凹部は、それらが係合した状態で前記収納部を前記プロテクタ本体の基端方向へ移動させると、当該移動に伴って前記凸部および前記凹部の係合が自動的に解除されるよう構成されている上記（３）に記載の穿刺具。
【００１２】
（５）  前記凸部および前記凹部は、それぞれ傾斜面を有し、当該傾斜面同士が摺動して前記凸部および前記凹部の係合が解除される上記（３）または（４）に記載の穿刺具。
【００１３】
（６）  前記プロテクタ本体には、弾性変形可能な弾性片が設けられ、前記弾性片の端部に前記凸部が形成されている上記（３）ないし（５）のいずれかに記載の穿刺具。
【００１４】
（７）  前記弾性片は、前記プロテクタ本体の先端部に設けられた一対のスリットの間に形成されている上記（６）に記載の穿刺具。
【００１５】
（８）  前記弾性片は、その両端がそれぞれ固定端および可動端を構成し、前記固定端において前記プロテクタ本体に対し片持ち支持されている上記（６）または（７）に記載の穿刺具。
【００１６】
（９）  前記封止部材は、弾性材料で構成され、その内部に前記針管の針先を収納することにより、前記針管の先端開口を気密的に封止する上記（１）ないし（８）のいずれかに記載の穿刺具。
【００１７】
（１０）  前記プロテクタは、その長手方向に沿って形成された溝を有し、可撓性の連結部材を介して前記ハブに連結または一体化され、
前記プロテクタは、前記連結部材の変形により回動して、前記溝を介して前記針管の少なくとも針先を収納するよう構成されている上記（１）ないし（９）のいずれかに記載の穿刺具。
【００１８】
（１１）  前記プロテクタを前記第１の位置に保持する保持手段を有する上記（１）ないし（１０）のいずれかに記載の穿刺具。
【００１９】
（１２）  前記保持手段は、弾性変形可能な係合片で構成されている上記（１１）に記載の穿刺具。
【発明の効果】
【００２０】
本発明によれば、簡単な操作で、迅速かつ安全に、採血後の針管をプロテクタ内に収納することができるとともに、針管の先端開口を封止することができる。
【００２１】
封止部材の内部に、針管の針先を収納するよう構成することにより、針管の先端開口をより確実に封止することができる。
【００２２】
また、プロテクタが回動により変位するよう構成した場合、穿刺操作の操作性をより向上することができる。
【００２３】
また、本発明は、小型で簡単な構造、少ない部品点数で前記効果を達成することができる。
【発明を実施するための最良の形態】
【００２４】
以下、本発明の穿刺具を添付図面に示す好適実施例に基づいて詳細に説明する。
まず、本発明の穿刺具を説明する前に、本発明の穿刺具を装着して使用する動脈血採血器具について説明する。
【００２５】
図６は、動脈血採血器具の構成を示す縦断面図である。なお、以下の説明では、図６中の上側を「基端」、下側を「先端」という。
【００２６】
図６に示す動脈血採血器具１００は、外筒（シリンジ）２００と、外筒２００内で摺動し得るガスケット３００と、ガスケット３００を移動操作するプランジャ４００とを備えている。
【００２７】
外筒２００は、有底筒状の部材で構成され、底部２１０の中央部には、外筒２００の胴部より縮径した縮径部２２０が一体的に形成されている。この縮径部２２０には、本発明の穿刺具１のハブ（図示せず）が嵌合、装着されて使用される。
【００２８】
従って、動脈血の採血の際には、血液は、縮径部２２０の内腔２３０より、外筒２００内に導入される。
【００２９】
また、外筒２００の基端外周には、板状のフランジ２４０が一体的に形成されている。プランジャ４００を外筒２００に対し相対的に移動操作する際などには、このフランジ２４０に指を掛けて操作を行うことができる。
【００３０】
外筒２００内には、弾性材料で構成されたガスケット３００が収納されている。ガスケット３００は、外筒２００内で、外筒２００の長手方向に摺動することができる。このとき、ガスケット３００の外周部３１０は、外筒２００の内周面２５０に対し密着しつつ摺動し、液密性を保持することができる。
【００３１】
このガスケット３００の中心部には、基端から先端まで貫通する通気用の孔３２０が形成されている。
【００３２】
孔３２０の先端付近には、孔３２０を封止するように、フィルター部材３５０が設置されている。このフィルター部材３５０は、気体は透過するが液体は透過できない構成のものである。
【００３３】
フィルター部材３５０の構成材料としては、例えば、各種焼結多孔体、疎水性不織布、その他の多孔質体が挙げられる。この場合、焼結多孔体としては、例えばポリエチレン等の高分子材料（粉末）と、親水性（水溶性、水膨潤性）ポリマーとを含む材料を焼結したもの等が好ましく用いられる。
【００３４】
ガスケット３００の基端側には、ガスケット３００を移動操作するプランジャ４００が連結されている。
【００３５】
プランジャ４００は、ほぼ円筒状の部材で構成され、その先端部には、きのこ状のヘッド部４１０が形成されている。このヘッド部４１０は、ガスケット３００の基端側から孔３２０内に嵌入され、ガスケット３００の基端に形成された係合部３３０と係合する。これにより、プランジャ４００を基端方向および先端方向に移動したとき、それに追従してガスケット３００も移動する。
【００３６】
また、ヘッド部４１０には、ガスケット３００の孔３２０およびプランジャ４００の内部空間４３０にそれぞれ連通する通気用の孔４２０が形成されている。
【００３７】
プランジャ４００の内部空間４３０は、プランジャ４００の基端に開放している。また、プランジャ４００の基端部外周には、リング状のフランジ４４０が一体的に形成されている。プランジャ４００を外筒２００に対し相対的に移動操作する際などには、このフランジ４４０に指を掛けて操作を行うことができる。
【００３８】
なお、外筒２００の構成材料は、内部の視認性を確保するために、実質的に透明であるのが好ましい。
【００３９】
このような動脈血採血器具１００では、外筒２００とガスケット３００とで囲まれる空間２６０内に、例えば、ヘパリン（ヘパリンリチウム、ヘパリンナトリウム）のような抗凝固剤５００が収納されている。
【００４０】
本発明の穿刺具１は、このような動脈血採血器具１００の先端部に装着して使用される。
【００４１】
以下、本発明の穿刺具について説明する。
図１および図２は、それぞれ、本発明の穿刺具の実施形態を示す縦断面図、図３は、図１中のＸ−Ｘ線断面図である。なお、以下の説明では、図１および図２中の右側を「基端」、左側を「先端」と言う。
【００４２】
図１および図２に示す穿刺具１は、先端部に鋭利な針先２１を有する針管（針体）２と、この針管２の基端部に固定されたハブ３と、ハブ３に対して回動（変位）可能に設置されたプロテクタ４と、プロテクタ４に設けられた封止部材７とを備えている。以下、各部の構成について説明する。
【００４３】
針管２は、中空針であり、例えば、ステンレス鋼のような金属材料で構成されている。針管２の先端部には、鋭利な針先２１が形成されている。この針先２１の形状は特に限定されず、本実施形態では、針管２の軸線に対し所定角度傾斜した刃面を有する形状をなしている。
【００４４】
また、針管２の先端は、先端開口２２で開放している。
針管２の基端部には、ハブ３が液密に固着（固定）され、針管２の内腔とハブ３の内部とが連通している。
【００４５】
針管２のハブ３に対する固着方法としては、特に限定されず、例えば、カシメ、融着（熱融着、高周波融着等）、接着剤による接着等の方法が挙げられる。
【００４６】
針管２の長さは、針管２をプロテクタ４で覆ったとき、針先２１がプロテクタ４の先端から突出しない（はみ出さない）程度の長さとされる。
【００４７】
ハブ３は、ほぼ筒状の部材で構成され、好ましくは透明（無色透明）、着色透明または半透明の樹脂で構成され、内部の視認性が確保されている。
【００４８】
このハブ３は、基端方向に向かってその外径および内径が漸増するテーパ状をなしている。このテーパ状部分には、前述した外筒２００の縮径部２２０が挿入、嵌合され、これにより、穿刺具１が動脈血採血器具１００に装着される。
【００４９】
ハブ３の基端外周には、リング状に突出したフランジ３１が形成されている。例えば、動脈血採血器具１００に穿刺具１を装着する操作や、動脈血採血器具１００から穿刺具１を取り外す操作の際に、フランジ３１に指を引っ掛けてこの操作を行うことができ、これにより、操作をより確実に行なうことができる。
【００５０】
また、ハブ３の先端側外周には、複数（図示の構成では４本）のリブ３２が形成されている。
【００５１】
ハブ３および後述するプロテクタ４、連結部材５、固定部材６の構成材料は、特に限定されず、それぞれ、例えば、ポリエチレン、ポリプロピレン、ポリカーボネート等の各種樹脂材料が挙げられる。
【００５２】
このようなハブ３に対しては、針管２の少なくとも針先２１を覆うこと（または収納すること）が可能なプロテクタ４が回動可能に設置されている。
【００５３】
プロテクタ４は、可撓性を有する帯状（または線状）の連結部材５を介して固定部材６と連結されている。本実施形態の場合、プロテクタ４と連結部材５と固定部材６とは、同一材料により一体的に形成されている。これにより、部品点数が少なく、簡単な構成で、プロテクタ４を回動可能に設置することができる。
【００５４】
固定部材６は、リング状（環状）をなしており、ハブ３に対し嵌合により固定されている。
【００５５】
なお、固定部材６は、図示の構成では、全周が繋がったリング状（環状）をなしているが、これに限らず、例えば周方向の一部が欠損したＣ字状をなすもの（Ｃリング）であってもよい。
【００５６】
また、固定部材６のハブ３に対する固定方法は、嵌合によるものに限定されず、例えば、接着剤による接着、融着（熱融着、超音波融着、高周波融着等）、カシメ部材や締付け具等により固定されていてもよいし、ハブ３と一体化されていてもよい。
【００５７】
プロテクタ４は、有底筒状の部材で構成され、筒状部分の長手方向の全長に渡って、針管２に臨む部分に溝（スリット）４１が形成されている。すなわち、プロテクタ４は、図３に示すように、横断面が略Ｃ字状をなしている。プロテクタ４は、この溝４１を介して、その内部に針管２の少なくとも針先２１を収納することができる。
【００５８】
このプロテクタ４は、可撓性を有する連結部材５が変形することにより、針管２の少なくとも針先２１を覆う第１の位置（図１の二点鎖線および図２参照）と、針管２から離間する第２の位置（図１の実線参照）とに回動（変位）する。
【００５９】
この場合、連結部材５の変形等によるプロテクタ４の回動角度範囲（回動可能な最大の角度の範囲）は、特に限定されないが、４５〜１８０°程度が好ましく、８０〜１２０°程度であるのがより好ましい。このような範囲であると、穿刺等の操作性が特に優れる。
【００６０】
なお、可撓性を有する帯状の連結部材５は、その構成が簡単であり、製造も容易である点で好ましいが、これに限らず、連結部材５に代わり、プロテクタ４を回動させることができる任意のヒンジ構造部で構成される回動機構を採用することもできる。この場合、回動機構は、プロテクタ４の姿勢（回動角度）を固定する機能、特に多段階（例えば、図１中の姿勢Ａ、Ｂ、Ｃ）に固定する機能を有していてもよい。
【００６１】
このようなプロテクタ４の先端部内側には、封止部材７が設置されている。プロテクタ４を第１の位置とした後、続いて、封止部材７の内部に針管２の針先２１を埋入して収納し、針管２の先端開口２２を好ましくは気密的に封止する。
【００６２】
封止部材７で針管２の先端開口２２を気密的に封止することにより、動脈血採血器具１００内に採取された動脈血に大気中の酸素や二酸化炭素が混入するのがより確実に防止される。これにより、血中のガス分圧、ｐＨ等をより正確に分析、測定することができる。
【００６３】
封止部材７の設置構造については、後に、図４および図５を参照しつつ詳細に説明する。
【００６４】
封止部材７は、弾性材料（高粘性材料）で構成されている。この弾性材料としては、特に限定されないが、例えば、シリコーンゴム、ウレタンゴム等の各種ゴムや、ポリウレタン系、ポリスチレン系等の各種熱可塑性エラストマーを用いることができ、パテや粘土、パラフィンを用いてもよい。
【００６５】
また、封止部材７は、針管２の針先２１を内部に収納すると、それ自体の弾性力（粘着力）により、針管２の針先２１の外周部に密着して固定する機能も有している。換言すれば、封止部材７は、針管２の針先２１を内部に収納すると、針管２に固定される。これにより、封止部材７を備えるプロテクタ４は、針管２の針先２１を覆った状態（第１の位置）に固定（保持）される。
【００６６】
また、プロテクタ４をより確実に第１の位置に保持するためには、プロテクタ４に保持手段を設けるのが好ましく、本実施形態では、この保持手段として、プロテクタ４の内部に係合片４２が設置されている（図１、図２、図３参照）。
【００６７】
この係合片４２は、弾性変形可能な板状の部材であり、図３に示すように、プロテクタ４と一体的に形成されたものでも、プロテクタ４に別部材を固着したものでもよい。
【００６８】
この係合片４２は、針管２が溝４１を介してプロテクタ４内に入って行く際、係合片４２を越えてプロテクタ４の奥側へ移動することはできるが、一旦この状態となると、針管２がプロテクタ４内から出ようとする方向（図３中下方）へ移動しようとしても、針管２が係合片４２に当接し、針管２によって図３中下方へ押圧された係合片４２の端部４２１がプロテクタ４の内面に当接し、それ以上下方へ移動することができなくなり、針管２が係合片４２を越えて溝４１から出ようとすることを阻止する。
【００６９】
このような保持手段を設けることにより、穿刺具１では、誤って針先２１がプロテクタ４外へ露出することがより確実に防止されるので、針管２の先端開口２２の封止がより確実に維持されるとともに、高い安全性が持続される。
【００７０】
なお、保持手段の構造、機能等は、図示のものに限定されないことは、言うまでもなく、例えば、針管２を挟持するクリップ、チャック等であってもよい。
【００７１】
図４および図５は、それぞれ、本発明の穿刺具におけるプロテクタの先端側の構成、すなわち、封止部材の設置構造を示す部分断面図および縦断面図である。
【００７２】
図４および図５に示すように、プロテクタ４は、プロテクタ本体４３と、このプロテクタ本体４３の先端部に設けられ、封止部材７を収納する収納部４４とを備えている。
【００７３】
プロテクタ本体４３は、ほぼ筒状をなす長手形状の部材で構成され、その長手方向のほぼ全長に渡って、針管２に臨む部分に溝４３１が形成されている。
【００７４】
また、プロテクタ本体４３の先端部には、先端から所定長さで設けられたほぼ平行する一対のスリット４３２が形成され、これらの間に、弾性変形可能な板バネ（弾性片）４３３が形成されている。
【００７５】
この板バネ４３３は、その基端を固定端、その先端を可動端としてプロテクタ本体４３に対して片持ち支持され、可動端が弾性的に図４および図５中上下方向（針管２に対してほぼ垂直な方向）に変位（変形）する。
【００７６】
また、この板バネ４３３の先端内面（図４および図５中、下面）には、プロテクタ本体４３の内側に向って突出した爪（凸部）４３４が一体的に形成されている。この爪４３４は、後述する収納部４４の基端部に形成された凹部４４１に係合する。
【００７７】
このプロテクタ本体４３の先端部には、その長手方向に沿って相対的に移動可能な収納部（スライド部）４４が設置されている。この収納部４４は、プロテクタ本体４３とは独立した有底筒状の部材（別部材の）で構成され、その内部には、前述した封止部材７が収納されている。
【００７８】
また、収納部４４は、その外径がプロテクタ本体４３の内径とほぼ等しく設定されている。すなわち、プロテクタ本体４３と収納部４４とは、それらの中心軸がほぼ一致している。これにより、プロテクタ本体４３に対して収納部４４を相対的に移動させる操作の際に、これらの中心軸がズレてしまうのを好適に防止することができ、封止部材７の内部に、針管２の針先２１をより確実に収納することができる。
【００７９】
また、収納部４４の基端部には、爪４３４に係合可能な凹部４４１が形成されている。収納部４４をプロテクタ本体４３の先端部に位置させ、凹部４４１に爪４３４が係合すると、収納部４４は、プロテクタ本体４３に対して、図４に示す状態からさらに先端方向へ移動するのが防止（阻止）される。これにより、収納部４４は、プロテクタ本体４３から脱落（外れる）のが防止される。すなわち、これらの爪４３４（板バネ４３３）と凹部４４１とで、収納部４４のプロテクタ本体４３からの離脱を阻止する離脱阻止手段が構成される。
【００８０】
また、図５に示すように、爪４３４および凹部４４１には、それぞれ傾斜面が形成されており、爪４３４が凹部４４１に係合した状態から収納部４４を指等で押圧してプロテクタ本体４３の基端方向（図５中右方向）へ移動する際には、爪４３４および凹部４４１の傾斜面同士が摺動して爪４３４が凹部４４１から外れ、これらの係合が解除され、爪４３４の頂部が収納部４４の外面に乗り上げる。
【００８１】
なお、図示の構成では、凹部４４１は、収納部４４の外周方向の一部に形成されているが、これに限らず、収納部４４の外周面の全長に渡ってリング状（環状）に形成されていてもよい。
【００８２】
次に、穿刺具１の使用方法の一例について、詳細に説明する。
［１］  穿刺具１のハブ３に外筒２００の縮径部２２０を挿入、嵌合して、穿刺具１を動脈血採血器具１００に装着する。また、プロテクタ４を例えば位置Ａ〜位置Ｂの任意の位置（穿刺操作の邪魔にならない位置：第２の位置）として、針管２から離間した状態とし、動脈血採血器具１００を把持する。
【００８３】
なお、プロテクタ４の位置は、操作者の希望に応じて、適宜選択することができ、操作をさらに容易に行なうことができる。
【００８４】
［２］  この状態で、針管２の針先２１を患者の動脈に穿刺すると、動脈内の圧力により、動脈血が外筒２００（空間２６０）内に導入される。
【００８５】
この動脈血の流入により、空間２６０内の空気は、フィルター部材３５０を通して排出されるが、動脈血は、フィルター部材３５０を通過できず、外部への漏れ出しは生じない。さらに、水膨潤性高分子を混ぜ込んだ（含む）材料で構成したフィルター部材３５０を用いた場合、空間２５０内が血液で満たされ、フィルター部材３５０にしみ込むと、フィルター部材３５０が膨張し、外気と血液の接触を遮断することもできる。
【００８６】
この操作の際に、ハブ３に対し固定部材６（プロテクタ４）が周方向に回転することはなく、操作を確実に行うことができる。
【００８７】
［３］  空間２６０内が動脈血で満たされたら、針管２の針先２１を患者の動脈から抜き取る。
【００８８】
［４］  次に、プロテクタ４を図１中反時計周りに回動させ、位置Ｂを経て位置Ｃ（第１の位置）へ変位させる。これにより、針管２の針先２１は、プロテクタ４内に収納される。
【００８９】
また、このとき、針管２は、係合片４２を越えてプロテクタ４の奥側へ移動し、プロテクタ４の内面に当接する。この状態で、針管２が戻ろうとしても（第２の位置の方向へ移動しようとしても）、前述した係合片４２による逆方向への移動阻止機能により、針管２は、係合片４２を越えて溝４１から出ることが防止される。これにより、プロテクタ４は、第１の位置に保持される。
【００９０】
［５］  次いで、収納部４４の先端を指等で、プロテクタ本体４３の基端方向（図４中矢印方向）へ押圧すると、爪４３４の凹部４４１への係合が解除される。さらに、収納部４４の先端を基端方向へ押圧すると、爪４３４の頂部付近が収納部４４の外面に摺接しつつ、収納部４４は、プロテクタ本体４３の基端方向へ移動して、プロテクタ本体４３の内部に進入していく。これにより、針管２の針先２１が封止部材７に穿刺される。すなわち、封止部材７は、針管２の針先２１をその内部に埋入して収納し、針管２の先端開口２２を気密的に封止する。封止部材７は、自らの弾性力により針管２の針先２１の外周部に密着する（図５参照）。
【００９１】
この状態で、プロテクタ４は、位置Ｃ（第１の位置）に保持されるとともに、封止部材７は、針管２の針先２１をその内部に埋入して収納し、針管２の先端開口２２を気密的に封止する。
【００９２】
［６］  以上のようにして針管２の針先２１がプロテクタ４内に収納され、かつ封止部材７により針管２の先端開口２２が封止されたら、穿刺具１を装着した状態のままで、抗凝固剤５００の作用が好適に発揮されるように、動脈血採血器具１００に、揺動、振動、回転、上下反転等を与えて抗凝固剤５００の動脈血への溶解、混和を助ける。次いで、この動脈血を、血中のガス分圧、ｐＨ等の分析、検査に供する。
【００９３】
以上、本発明の穿刺具を図示の実施形態について説明したが、本発明は、これに限定されるものではなく、穿刺具を構成する各部は、同様の機能を発揮し得る任意の構成のものと置換することができる。
【００９４】
例えば、封止部材は、針管の先端開口に当接して、該先端開口を封止するような構成のものであってもよい。
【００９５】
また、プロテクタの第１の位置と第２の位置との変位は、回動によるものに限定されるものではなく、例えば、針管の長手方向に沿って相対的に移動（スライド）させるもの等であってもよい。
【図面の簡単な説明】
【００９６】
【図１】本発明の穿刺具の実施形態を示す縦断面図である。
【図２】本発明の穿刺具の実施形態を示す縦断面図である。
【図３】図１中のＸ−Ｘ線断面図である。
【図４】本発明の穿刺具におけるプロテクタの先端側の構成を示す部分断面図である。
【図５】本発明の穿刺具におけるプロテクタの先端側の構成を示す縦断面図である。
【図６】動脈血採血器具の構成を示す縦断面図である。
【符号の説明】
【００９７】
１            穿刺具
２            針管
２１          針先
２２          先端開口
３            ハブ
３１          フランジ
３２          リブ
４            プロテクタ
４１          溝
４２          係合片
４２１        端部
４３          プロテクタ本体
４３１        溝
４３２        スリット
４３３        板バネ
４３４        爪
４４          収納部
４４１        凹部
５            連結部材
６            固定部材
７            封止部材
１００        動脈血採血器具
２００        外筒
２１０        底部
２２０        縮径部
２３０        内腔
２４０        フランジ
２５０        内周面
２６０        空間
３００        ガスケット
３１０        外周部
３２０        孔
３３０        係合部
３５０        フィルター部材
４００        プランジャ
４１０        ヘッド部
４２０        孔
４３０        内部空間
４４０        フランジ
５００        抗凝固剤
【図１】
2007296376.tif 000003
【図２】
2007296376.tif 000004
【図３】
2007296376.tif 000005
【図４】
2007296376.tif 000006
【図５】
2007296376.tif 000007
【図６】
2007296376.tif 000008